(57)【要約】【課題】複数系統の流体流動経路を内部に有する流体配送チューブをシールドよく、ワンタッチで接続することができるチューブ継ぎ手を提供することである。【解決手段】ガイドリング内に配置されたロック爪、該ガイドリング内に挿入され該ロック爪を押すリリースリング及び中央内部に複数の流体流動経路を有する流体配送用チューブを受けるツインガイドが設けられたチューブ継ぎ手。【選択図】図１
2004211730.tif 000002
【特許請求の範囲】
【請求項１】
ガイドリング内に配置されたロック爪及び該ガイドリング内に挿入され該ロック爪を押すリリースリングよりなるチューブ継ぎ手において、複数の流体流動経路を有する流体配送用チューブを受けるツインガイドがボディ、ロック爪、ガイドリング及びリリースリングの中央内部に設けられていることを特徴とするチューブ継ぎ手。
【請求項２】
リリースリング側の該ツインガイドの外形寸法がボディ側の該ツインガイドの外形寸法より２〜４０％小さいテーパー状であることを特徴とする請求項１に記載のチューブ継ぎ手。
【請求項３】
各々のツインガイドの外周に凸型リングを形成または配置したことを特徴とする請求項１又は２に記載のチューブ継ぎ手。
【請求項４】
ボディ側で該ボディより突起しているツインガイド、挿入ガイドツインが流体配送用チューブに挿入され該挿入ガイドツイン及び該流体配送用チューブが共にチューブ継ぎ手に挿入され、ツインガイド及び挿入ガイドツインが接合されることを特徴とする請求項１に記載のチューブ継ぎ手。
【請求項５】
ツインガイド及び挿入ガイドツインの間にパッキンが配置されていることを特徴とする請求項４に記載のチューブ継ぎ手。
【発明の詳細な説明】
【０００１】
【発明の属する技術分野】
本発明は、流体配送用チューブのチューブ継ぎ手に関するものである。
【０００２】
【従来技術】
従来技術において、流体配送用チューブの接続方法としてワンタッチ継ぎ手が提案され、使用されている。
【０００３】
【発明が解決しようとする課題】
しかしながら、従来のワンタッチ継ぎ手は、流体配送用チューブが内部に一系統の流体流動用経路を持つ単管用のものである。複数系統の流体流動経路を内部に有する流体配送用チューブに対応できない問題がある。複数系統の流体流動経路を内部に有する流体配送用チューブをシールドよく、ワンタッチで接続することができるチューブ継ぎ手を提供することである。
【０００４】
【課題を解決するための手段】
ガイドリング内に配置されたロック爪及び該ガイドリング内に挿入され該ロック爪を押すリリースリングよりなるチューブ継ぎ手において、複数の流体流動経路を有する流体配送用チューブを受けるツインガイドがボディ、ロック爪、ガイドリング及びリリースリングの中央内部に設けられており、複数系統の流体流動経路を内部に有する流体配送用チューブをシールよく、ワンタッチで接続できるチューブ継ぎ手を提供することができる。このようなチューブ継ぎ手は、複数系統の流体流動経路を内部に有する流体配送用チューブを手早く、ワンタッチで脱着することができ、例えば、エアー、真空、窒素ガス、酸素ガス、等の複数系統の流体配送ができる設置工事も短時間に行うことができる。
【０００５】
本発明に係るチューブ継ぎ手は、ガイドリング内に配置されたロック爪６及びガイドリング３内に挿入され該ロック爪６を押すリリースリング４よりなるチューブ継ぎ手において、複数の流体流動経路を有する流体配送用チューブを受けるツインガイド７，８がボディ、ロック爪、ガイドリング及びリリースリングの中央内部に設けられている。以下において本発明に係るチューブ継ぎ手を詳細に説明する。尚、本発明に係るチューブ継ぎ手は、以下の説明、図面の縮尺配置、などに限定されるものでない。
【０００６】
本発明に係るチューブ継ぎ手は、ガイドリング内に配置されたロック爪６及びガイドリング３内に挿入され該ロック爪６を押すリリースリング４よりなる一般に使用されているチューブ継ぎ手（タッチコネクタ、ワンタッチ管継手、等とも呼ばれている。）のほぼ中央内部にツインガイド７，８を設けたものである。該ツインガイドの材質、個数、形状を特に限定するものでなく、複数の流体流動経路を有する流体配送用チューブを受け入れる形状、強度を有するものである。図１、図２、図３において流体流動経路を２個で表示しているものの２個に限定するものでなくより多くの複数の流体流動経路にも適用され、流体流動経路の形状においても楕円形に限定されるものでなく円形、三角形、四角形、五角形、より多くの多角形の形状及び不定形の形状でもよい。
【０００７】
ツインガイドは、例えば、（図１）流体配送用チューブの流体流動経路と相似形の外形形状を有するものであり、流体配送用チューブをチューブ継ぎ手に挿入するに際して該流体配送用チューブ９の複数の流体流動経路（図３、９−１、９−２）に該ツインガイド（７，８）が挿入されるものである。好ましくは、ツインガイド７、８は、テーパー状でありリリースリング４側である挿入口側がボディに近い深い部分より２〜４０％小さいことである。このようなテーパー状であることにより流体配送用チューブの挿入がスムーズに行うことができる。また、ボディ２に近い部分のツインガイド７、８の形状が流体配送用チューブ９の流体流動経路（９−１、９−２）の形状とほぼ相似形でありツインガイド７、８が２〜３０％大きいことが好ましく、流体配送用チューブを挿入してタイトとなり流体のリークを防ぐことができる。
【０００８】
また、流体のリークを防ぐためにツインガイド７、８の外周に凸型リングを形成または配置することが好ましく、例えば、Ｏリングなどの弾性体である凸型リングを設けることが効果的である。該凸型リングと流体配送用チューブの流体配送経路の内面が流体のリークがないように密着することによりリークを防ぐことができる。
【０００９】
また、（図２）ツインガイド７、８がチューブ継ぎ手の内部でボディ２より０．１ｍｍ以上突出しロック爪６位置よりボディ側にあり飛び出さない位置に配置され流体配送用チューブの複数の流体流動経路とほぼ相似形な形状であり、好ましくは、該ツインガイドの突出面に流体流動経路の形状に開口された形でゴム板、プラスチック板などのパッキンが配置されていることである。複数の流体流動経路を有する流体配送用チューブの流体流動経路に挿入ガイドツイン１１を挿入し、チューブ継ぎ手１に流体配送用チューブを挿入することによりツインガイドの突起及び挿入ガイドツインがパッキンを介して密着してリークを防ぐことができ、ロック爪６により抜けを防止することができる。
【００１０】
これらのようなチューブ継ぎ手は、複数の流体流動経路を有する流体配送用チューブでエアー、真空、窒素ガス、酸素ガス、等の複数系統の流体配送ができる設置工事においてシールド性がよく、ワンタッチ・短時間で接続することが可能である。
【００１１】
【発明の効果】
本発明に係るチューブ継ぎ手は、複数の流体流動経路を有する流体配送用チューブをシールド性がよく、ワンタッチ・短時間に接続することができる。
【図面の簡単な説明】
【図１】本発明に係るチューブ継ぎ手の一実施態様を示す図である。（ａ）は、チューブ継ぎ手の斜視図であり、流体配送用チューブが矢印の方向より挿入され、（ｂ）は、チューブ継ぎ手のＫ−Ｋ’断面視図であり、（ｃ）は、チューブ継ぎ手のＪ−Ｊ’断面視図である。
【図２】本発明に係るチューブ継ぎ手の他の一実施態様を示す図である。（ａ）は、チューブ継ぎ手の斜視図であり、流体配送用チューブが矢印の方向より挿入され、（ｂ）は、チューブ継ぎ手のＧ−Ｇ’断面視図であり、（ｃ）は、流体配送用チューブ及び該流体配送チューブに挿入される挿入ガイドツインの斜視図である。
【図３】本発明に係るチューブ継ぎ手に挿入して使用される流体配送用チューブの一実施態様を示す図である。
【符号の説明】
１  チューブ継ぎ手
２  ボディ
３  ガイドリング
４  リリースリング
６  ロック爪
７、８  ツインガイド
９  流体配送用チューブ
１０  パッキン
１１  挿入ガイドツイン
【図１】
2004211730.tif 000003
【図２】
2004211730.tif 000004
【図３】
2004211730.tif 000005